(57)【要約】【課題】ワンタッチの押し込み操作によりコインを確実に一枚づつ放出可能にした筒型コンパクトサイズのコインストッカーとする。【解決手段】コインＰをバネ力に抗して厚み方向に重合して収納するコインＰ径に合わせた口径を有するケース体１と、該ケース体１内の最上部のコインＰを上部に形成した放出開口部８からコインＰを一つずつ押し出せるよう進退可能としたコイン押出レバー９を備える。ケース体１の上部に蓋体４を脱着自在に取り付け、該蓋体４にコインＰの放出開口部８を設ける。【選択図】図１
2007222365.tif 000002
【特許請求の範囲】
【請求項１】
コインをバネ力に抗して厚み方向に重合させて収納するコイン径に合わせた口径を有するケース体と、該ケース体内の最上部のコインを上部に形成された放出開口部から一つずつ押し出せるよう進退可能としたコイン押出レバーを備えたことを特徴とするコインストッカー。
【請求項２】
コインをバネ力に抗して厚み方向に重合させて収納するコイン径に合わせた口径を有するケース体と、該ケース体内の最上部のコインを係止させるよう当該ケース体に着脱自在に取り付けられた蓋体とを備え、該蓋体には、上部に形成された放出開口部からコインを一つずつ押し出せるよう当該蓋体に対して進退可能としたコイン押出レバーを備えた請求項１記載のコインストッカー。
【請求項３】
放出開口部は、蓋体によって係止されている最上部に位置する１枚のコインの厚み幅相当分の当該蓋体の周側面位置から天面側にかけて略半円形状に切欠して成る請求項２記載のコインストッカー。
【請求項４】
コイン押出レバーは、放出開口部に対向する蓋体周側面に穿設された円弧状のレバー用開口部に当該コイン押出レバー先端の突当部が挿入配置され、レバー用開口部内へのコイン押出レバーの手動による押し込みにより突当部を介して最上部に位置する１枚のコインを放出開口部から押し出せるものとした請求項２または３記載のコインストッカー。
【請求項５】
突当部は、ケース体内のコイン押出位置から外方退避位置に自動復帰されるよう当該突当部後端のコイン押出レバーと蓋体との間に介在する付勢手段を備えた請求項４記載のコインストッカー。
【請求項６】
コイン押出レバーは、突当部に対して下方側に折り畳み可能となるよう当該突当部にヒンジ部を介して連設されている請求項４または５記載のコインストッカー。
【請求項７】
ケース体には、ネックストラップを着脱自在に取り付け可能とする吊下げ孔部を備えた請求項１乃至６のいずれかに記載のコインストッカー。
【発明の詳細な説明】
【技術分野】
【０００１】
本発明は、複数のコインを重合状に収納してから首等に吊り下げる等して携帯可能とし、コイン使用時にはこれらを一枚づつ放出可能にした筒型コンパクトサイズのコインストッカーに関する。
【背景技術】
【０００２】
従来では様々なタイプのコインケースが提案されている。
例えば、特許文献１に開示されているように、細長箱状のケースを仕切板により前側と後側の空間部を形成し、且つ前後それぞれの空間部を側壁によって複数組の収納部とし、前側および後側の各収納部にコインを重合状に収納自在として成るコインケースがある。
【０００３】
また、特許文献２に開示されているように、同種のコインをバネ力に抗して厚み方向に重ね合わせて収納するための円筒形空間部がその軸を横方向にして複数個並設され、手動操作によりコインを一枚づつ放出ゲートから放出させるバイク車両取付型のコインケースがある。
【０００４】
また、特許文献３に開示されているように、複数枚のコインを略コ字枠状のカバー内に収納させ、カバー内でコインの片側は保持穴で係合保持され、コインの反対側はバネ作動部で単独で押えられ、上側開口部から一枚のコインを軽く親指で押えてカバーからスライドさせて取り出す１円玉用のコインケースがある。
【０００５】
また、特許文献４に開示されているように、円形端面板の周縁から、先端に係止部を有する円弧板片状の挟持片を対向突出させ、円形端面板の挟持片間に係止受部を形成して成るコイン収納可能とした同構造一対の構成体を形成し、一方の構成体の挟持片を他方の構成体の円形端面板の係止受部に係止させることで両構成体を噛合して成るコインケースがある。
【特許文献１】特開平８−１００２１号公報
【特許文献２】特開平９−２９４６１７号公報
【特許文献３】特開２００２−７８５１８号公報
【特許文献４】実開平６−６５９７３号公報
【発明の開示】
【発明が解決しようとする課題】
【０００６】
しかしながら、従来におけるコインケースにおいては、特許文献１の場合のように細長箱状のケースを仕切板により前側と後側の空間部を形成したものや、特許文献２の場合のようにコインを収納する円筒形空間部が複数個並設されてバイク車両取付型に形成したものや、特許文献４の場合のようにコイン収納可能とした同構造一対の構成体を形成したものにあっては、構造が複雑なものであるのに加えて首に吊り下げて携帯するには大嵩なものとなって非常に不便なものである。また、特許文献３の場合のようにコインを軽く親指で押えてカバーからスライドさせて取り出すものでは、複数枚のコインが同時に取り出されてしまう虞れがある。
【０００７】
そこで、本発明は、叙上のような従来存した諸事情に鑑み創出されたもので、ワンタッチの押し込み操作によりコインを確実に一枚づつ放出可能にした筒型コンパクトサイズのコインストッカーとすることができ、また従来の携帯電話のように首に吊り下げたままでもワンタッチで簡単にコインを取り出すことができるコインストッカーを提供することを目的とする。
【課題を解決するための手段】
【０００８】
上述した課題を解決するため、本発明にあっては、コインをバネ力に抗して厚み方向に重合させて収納するコイン径に合わせた口径を有するケース体と、該ケース体内の最上部のコインを上部に形成された放出開口部から一つずつ押し出せるよう進退可能としたコイン押出レバーを備えたことを特徴とする。
【０００９】
また、本発明にあっては、コインをバネ力に抗して厚み方向に重合させて収納するコイン径に合わせた口径を有するケース体と、該ケース体内の最上部のコインを係止させるよう当該ケース体に着脱自在に取り付けられた蓋体とを備え、該蓋体には、上部に形成された放出開口部からコインを一つずつ押し出せるよう当該蓋体に対して進退可能としたコイン押出レバーを備えたものとすることができる。
【００１０】
放出開口部は、蓋体によって係止されている最上部に位置する１枚のコインの厚み幅相当分の当該蓋体の周側面位置から天面側にかけて略半円形状に切欠して成るものとすることができる。
【００１１】
コイン押出レバーは、放出開口部に対向する蓋体周側面に穿設された円弧状のレバー用開口部に当該コイン押出レバー先端の突当部が挿入配置され、レバー用開口部内へのコイン押出レバーの手動による押し込みにより突当部を介して最上部に位置する１枚のコインを放出開口部から押し出せるものとすることができる。
【００１２】
突当部は、ケース体内のコイン押出位置から外方退避位置に自動復帰されるよう当該突当部後端のコイン押出レバーと蓋体との間に介在する付勢手段を備えたものとすることができる。
【００１３】
コイン押出レバーは、突当部に対して下方側に折り畳み可能となるよう当該突当部にヒンジ部を介して連設されているものとすることができる。
【００１４】
ケース体には、ネックストラップを着脱自在に取り付け可能とする吊下げ孔部を備えたものとすることができる。
【発明の効果】
【００１５】
本発明によれば、ワンタッチの押し込み操作によりコインを確実に一枚づつ放出可能にした筒型コンパクトサイズのコインストッカーとすることができ、また従来の携帯電話のように首に吊り下げたままでもワンタッチで簡単にコインを取り出すことができる。
【００１６】
すなわち、本発明は、コインをバネ力に抗して厚み方向に重合させて収納するコイン径に合わせた口径を有するケース体と、該ケース体内の最上部のコインを上部に形成された放出開口部から一つずつ押し出せるよう進退可能としたコイン押出レバーを備えたものであって、これにより、ワンタッチの押し込み操作によりコインを一枚づつ確実に取り出すことができる。
【００１７】
また、本発明は、コインをバネ力に抗して厚み方向に重合させて収納するコイン径に合わせた口径を有するケース体と、該ケース体内の最上部のコインを係止させるよう当該ケース体に着脱自在に取り付けられた蓋体とを備え、該蓋体には、上部に形成された放出開口部からコインを一つずつ押し出せるよう当該蓋体に対して進退可能としたコイン押出レバーを備えたものであり、これにより、ワンタッチの押し込み操作によりコインを一枚づつ確実に取り出すことができるのは勿論、ケース体に対するコインの収納操作が極めて容易となる。
【００１８】
放出開口部は、蓋体によって係止されている最上部に位置する１枚のコインの厚み幅相当分の当該蓋体の周側面位置から天面側にかけて略半円形状に切欠して成るので、コイン押出レバーの押し込み操作によりコインを一枚づつスムーズに取り出すことができ、しかもケース体内のコインの存在を容易に確認することができる。
【００１９】
コイン押出レバーは、放出開口部に対向する蓋体周側面に穿設された円弧状のレバー用開口部に当該コイン押出レバー先端の突当部が挿入配置され、レバー用開口部内へのコイン押出レバーの手動による押し込みにより突当部を介して最上部に位置する１枚のコインを放出開口部から押し出せるので、コイン押出レバーの押し込み操作によりコインを一枚づつスムーズに取り出すことができ、しかも突当部の長さ分だけコイン押出レバーの押し込みストローク範囲を小さくすることができる。
【００２０】
突当部は、ケース体内のコイン押出位置から外方退避位置に自動復帰されるよう当該突当部後端のコイン押出レバーと蓋体との間に介在する付勢手段を備えたので、ケース体内におけるバネ力により蓋体に係止されているコインでもっての押出レバーの押し込み操作後の突当部の引っ掛かりを未然に防止することができる。
【００２１】
コイン押出レバーは、突当部に対して下方側に折り畳み可能となるよう当該突当部にヒンジ部を介して連設されているので、コイン押出レバーをケース体側に折り曲げておくことにより、不使用時におけるコイン押出レバーの不用意な押し込み移動を未然に防止することができる。
【００２２】
ケース体には、ネックストラップを着脱自在に取り付け可能とする吊下げ孔部を備えたので、ネックストラップを首に吊り下げておくことでコインストッカーを紛失させる虞れが無くなり、しかも従来の携帯電話のようにコインストッカーを首に吊り下げたままでワンタッチで簡単にコインを取り出すことができる。
【発明を実施するための最良の形態】
【００２３】
以下、図面を参照して本発明を実施するための最良の一形態を説明する。
図において示される符号１は、例えば１００円玉３０枚等の複数のコインＰを重合状に収納してから首等に吊り下げる等して携帯可能とした筒型コンパクトサイズのコインストッカーにおけるケース体であり、該ケース体１は、図１に示すように、コインＰ径に合わせた口径を有する有底筒状に形成され、内底部にはコイルスプリング２を介して上下方向にスライド可能とした円形キャップ状の可動台座部３を設けることでコインＰをコイルスプリング２のバネ力に抗して厚み方向に重合させて収納するようにしてある。
【００２４】
また、ケース体１の上側開口縁部の外周には、円形ネジ蓋状の蓋体４が雄雌ネジ部５ａ、５ｂの螺着を介して着脱自在に取り付けられており、該蓋体４によってケース体１内の最上部のコインＰを係止させるようにしてある。
【００２５】
また、ケース体１の例えば上側開口側には、ネックストラップＳを着脱自在に取り付け可能とする吊下げ孔部６を設けてある。さらに、ケース体１の下端面側は円形状の凹部が形成され、該凹部の内側で横架されるようにネックストラップＳ取付用のピン７が付設されている（図３（ｂ）参照）。
【００２６】
蓋体４には、図２に示すように当該蓋体４によって係止されている最上部に位置する１枚のコインＰの厚み幅に相当する周側面の位置から天面側にかけて略半円形状に切欠して成る放出開口部８が開穿してあり、また放出開口部８からコインＰを一つずつ押し出せるよう当該蓋体４に対して進退可能としたコイン押出レバー９を設けてある。
【００２７】
すなわち、コイン押出レバー９は、図３に示すように、放出開口部８に対向する蓋体４周側面に穿設された円弧状のレバー用開口部１０に当該コイン押出レバー９先端の突当部１１が挿入配置され、レバー用開口部１０内へのコイン押出レバー９の手動による押し込みにより突当部１１を介して最上部に位置する１枚のコインＰを放出開口部８から押し出させるものとしてある。この突当部１１の先端は、例えば１００円玉のコインＰの円周曲率に合わせて円弧状に形成してある。
【００２８】
このとき、コイン押出レバー９は、突当部１１に対して、蓋体４外面下方側に折り畳み可能となるよう当該突当部１１の端部に対しヒンジ部１２を介して連設されている。
【００２９】
また、ケース体１内のコインＰ押出位置から外方退避位置すなわちコインＰの外周位置に突当部１１が自動復帰されるよう当該突当部１１後端に繋がるコイン押出レバー９と蓋体４との間に付勢手段１３を介装させてある。
【００３０】
この付勢手段１３の具体的な配置例としては、図３（ａ）に示すように、コイン押出レバー９の横幅に対応して蓋体４のレバー用開口部１０内側の左右対称位置にそれぞれ段差１４が形成され、コイン押出レバー９と突当部１１とが連繋するヒンジ部１２の両端突出部それぞれに付勢手段１３として例えばコイルスプリングの一端部が固定され、コイルスプリングの他端部は段差１４側に固定されている。
【００３１】
こうすることで、付勢手段１３の付勢力に抗してコイン押出レバー９を手指で押し込むと突当部１１を介してコインＰが放出開口部８から押し出され、その後、コイン押出レバー９から手指を離すと、付勢手段１３の付勢力に任せてコイン押出レバー９および突当部１１が元位置に復帰できるものとなる。
【００３２】
次に、以上のように構成された最良の形態についての使用、動作の一例について説明する。
先ず、図１に示すように、ケース体１から蓋体４を取り外し、ケース体２内に例えば１００円玉３０枚等の複数のコインＰを、コイルスプリング２のバネ力に抗して可動台座部３を下方へ押し込みながら重合状に収納する。そして、図３に示すように、蓋体４をケース体１にねじ込み、当該蓋体４によってケース体１内の最上部のコインＰを係止させる。
【００３３】
コインＰを取り出す場合には、図２に示すように、コイン押出レバー９を突当部１１に対して水平となるように引き起こしてから、コイン押出レバー９を付勢手段１３の付勢力に抗して手指で押し込む。すると突当部１１によってコインＰ周側面が押されて放出開口部８から押し出される。
【００３４】
その後、コイン押出レバー９から手指を離すと、付勢手段１３の付勢力に任せてコイン押出レバー９および突当部１１が元位置に復帰すると同時に下側にある次のコインＰが蓋体４に係止された状態となる。そして、不使用の際には、コイン押出レバー９をヒンジ部１２を介して下方のケース体１外側に折り畳まれた状態にしておく。
【図面の簡単な説明】
【００３５】
【図１】本発明を実施するための最良の形態におけるコインストッカーのケース体から蓋体を外して当該ケース体内に複数枚のコインを収納する状態を示す分解斜視図である。
【図２】同じくコインストッカーの使用状態を示す一部切欠斜視図である。
【図３】同じくコインストッカーの使用状態を示すもので、（ａ）は平面図、（ｂ）は（ａ）のＸ−Ｘ断面図である。
【符号の説明】
【００３６】
Ｐ          コイン
Ｓ          ネックストラップ
１          ケース体
２          コイルスプリング
３          可動台座部
４          蓋体
５ａ、５ｂ  雄雌ネジ部
６          吊下げ孔部
７          ピン
８          放出開口部
９          コイン押出レバー
１０        レバー用開口部
１１        突当部
１２        ヒンジ部
１３        付勢手段
１４        段差
【図１】
2007222365.tif 000003
【図２】
2007222365.tif 000004
【図３】
2007222365.tif 000005